(57)【特許請求の範囲】
【請求項１】
サーチャ部とフィンガ部とを含み、複数セクタ対応の受信信号の中の所定数のセクタ対応の受信信号を前記サーチャ部に入力して拡散コードとの相関値を求め、該相関値に従ったパスタイミングの中の最大パスタイミングのパスに追従制御して、前記フィンガ部に於ける逆拡散復調処理を行わせるＣＤＭＡ受信装置に於いて、
前記サーチャ部によるセクタ対応の最大パスタイミングに相当する前記フィンガ部の復調データを入力して同期検出する同期検出部と、
前記フィンガ部の各フィンガの復調データをレイク合成した復調データを入力してチャネルとしての同期検出を行う共通同期検出部とを備え、
前記同期検出部は、前記共通同期検出部の同期検出結果と、セクタ対応の同期検出とを基に、同期検出パラメータを切替える構成を有し、
前記サーチャ部は、前記同期検出部の同期検出結果に対応してサーチ間隔とパス平均回数との何れか一方又は両方を切替える構成を備えた
ことを特徴とするＣＤＭＡ受信装置。
【請求項２】
前記フィンガ部の各フィンガの復調データをレイク合成した復調データを入力して、信号波対干渉波電力比を測定するＳＩＲ測定部を備え、前記同期検出部は、前記ＳＩＲ測定部の測定結果に対応して同期検出パラメータを切替える構成を有し、前記サーチャ部は、前記同期検出部の同期検出結果に対応してサーチ間隔とパス平均化回数との何れか一方又は両方を切替える構成を備えたことを特徴とする請求項１記載のＣＤＭＡ受信装置。
【請求項３】
複数のセクタ対応の受信信号の中の所定数のセクタ対応の受信信号を入力して拡散コードとの相関値を求め、該相関値に従ったパスタイミングの中の最大パスタイミングのパスに追従制御するパス検出制御方法に於いて、
サーチャ部によるセクタ対応の最大パスタイミングに相当するフィンガ部の復調データを入力して、チャネルとしての同期検出する過程と、
チャネルとしての同期検出と、セクタ対応の同期検出とを基に、同期検出パラメータを切替え、チャネルとしての同期検出に対応してサーチ間隔とパス平均化回数との何れか一方又は両方を切替える過程とを備えた
ことを特徴とするパス検出制御方法。
【請求項４】
複数セクタ対応の受信信号の中の所定数のセクタ対応の受信信号を入力して拡散コードとの相関値を求め、該相関値に従ったパスタイミングの中の最大パスタイミングのパスに追従制御するパス検出制御方法に於いて、
サーチャ部によるセクタ対応の最大パスタイミングに相当するフィンガ部の復調データを入力してセクタ対応に同期検出する過程と、
フィンガ部の復調データ最大比合成した復調データを基に、同期検出又は信号波対干渉波電力比測定を行い、該同期検出結果又は信号波対干渉波電力比測定結果に対応して、前記サーチャ部によるセクタ対応の最大パスタイミングに相当するフィンガ部の復調データを入力してセクタ対応に同期検出する同期検出部の同期検出パラメータを切替える過程とを備えた
ことを特徴とするパス検出制御方法。
【発明の詳細な説明】
【０００１】
【発明の属する技術分野】
本発明は、ＣＤＭＡ（Ｃode Ｄivision Ｍultiple Ａccess ）方式を適用した移動通信システムに於けるマルチパス環境下の最適パスを検出し、高速引込み及び高速パス追従制御を可能とするＣＤＭＡ受信装置及びパス検出制御方法に関する。
【０００２】
【従来の技術】
図１０は従来例の説明図であり、ＣＤＭＡ方式を適用した移動通信システムに於ける基地局のＣＤＭＡ受信装置の要部を示すもので、１０１−１〜１０１−Ｎは複数のセクタ１〜Ｎ対応のアンテナ、１０２は受信処理部、１０３，１０４はセレクタ、１０５はサーチャ部、１０６はフィンガ部、１０７はレイク合成を行うＭＲＣ部、１０８は共通同期検出部を示す。受信処理部１０２は、セクタ対応のアンテナ１０１−１〜１０１−Ｎによる受信信号をそれぞれ直交復調した中間周波数のＩ，Ｑ信号をディジタル信号に変換して、セレクタ１０３，１０４に入力する。又サーチャ部１０５とフィンガ部１０６とは時分割的に処理する構成を有するものである。
【０００３】
セレクタ１０３は、図示を省略した制御部からの選択設定信号により制御されて、Ｎ個のセクタの中の最大Ｍ個（＜Ｎ）のセクタ対応のＩ，Ｑ信号を選択してサーチャ部１０５に入力する。このサーチャ部１０５は、マッチドフィルタ（ＭＦ）とプロファイルメモリとを含む構成を有し、選択されたＭ個のセクタ対応のＩ，Ｑ信号と拡散コードとの相関値をマッチドフィルタにより求め、この複数の相関値のピークからなる遅延プロファイルをプロファイルメモリに格納する。そして、相関値の大きいものから順にＬ個のパスを選択してセレクタ１０４に単一又は複数の選択セクタを通知し、又Ｌ個のフィンガ１〜Ｌからなるフィンガ部１０６の各フィンガに対するパスタイミングを通知する。
【０００４】
フィンガ部１０６の各フィンガは、サーチャ部１０５からのパスタイミングに従って拡散コードを発生して逆拡散処理を行い、且つ同期検波処理を行って復調データを出力し、Ｌ個のフィンガ対応の復調データをＭＲＣ部１０７に入力して、最大比合成によるレイク合成を行うものである。又共通同期検出部１０８は、ＭＲＣ部１０７からの合成出力データのパイロットシンボルを用いて同期検出を行い、その検出結果をサーチャ部１０５に通知する。又同期検出信号は、レイク合成された復調データを処理する為の同期信号として利用される。
【０００５】
サーチャ部１０５は、サーチウインドウ（パス検出可能のタイミング区間）を、最大相関値（最大パスタイミング）の移動に追従して移動させるものである。又共通同期検出部１０８は、前述のように、ＭＲＣ部１０７によるレイク合成後のパイロットシンボルを用いて同期検出を行い、サーチャ部１０５は、同期状態に於いてパス追従動作を行い、非同期状態に於いてはパス追従動作を中止するように制御している。
【０００６】
【発明が解決しようとする課題】
移動通信システムに於いては、基地局と通信中の移動局の移動に伴ってサーチャ部１０５に於いて求めた遅延プロファイルは変化するものである。そこで、サーチャ部１０５は、最大相関値のタイミングの変動に追従させてサーチウインドウを移動するパス追従制御を行うものである。しかし、バースト信号の送信オフ区間或いは有効パスが存在しない区間やセクタに於いて、干渉波やノイズによる偶然に相関値の大きいパスを認識することがあり、その場合は、パス追従制御によってサーチウインドウはシフトする。従って、バースト信号の送信オン区間の受信時には、その有効パスがサーチウインドウ内からずれることになって、正常なパスの高速な検出ができなくなる問題がある。
【０００７】
又共通同期検出部１０８は、レイク合成後のパイロットシンボルを用いて同期検出を行うものであるから、チャネルとしての同期検出を行っていることになる。そして、この同期検出結果に従ってサーチャ部１０５に於けるパス追従制御のオン，オフを行うものであり、複数セクタ受信時には、セクタ対応に有効パスの存在状況が異なり、有効パスが存在しないセクタに対してパス追従制御を行う場合が生じ、誤動作の原因となる問題がある。又同期保護段数等は固定的に予め設定されており、環境の変化に追従するものではないから、同期引込みに要する時間が長くなるか、或いは誤同期検出の可能性が大きくなる問題があった。
【０００８】
本発明は、従来例の問題点を解決するもので、最適なパスの高速検出並びに最適なパスの高速追従制御を可能とすることを目的とする。
【０００９】
【課題を解決するための手段】
本発明のＣＤＭＡ受信装置は、図１を参照して説明すると、サーチャ部３とフィンガ部４とを含み、複数セクタ対応の受信信号の中の所定数のセクタ対応の受信信号をセレクタ１により選択してサーチャ部３に入力し、拡散コードとの相関値を求め、この相関値に従ったパスタイミングの中の最大パスタイミングのパスに追従制御して、フィンガ部４に於ける逆拡散復調処理を行うＣＤＭＡ受信装置であって、サーチャ部３によるセクタ対応の最大パスタイミングに相当するフィンガ部４の復調データを入力して同期検出し、同期状態の時にサーチャ部３に於けるパス追従制御を行わせ、非同期状態の時にサーチャ部３に於けるパス追従制御を中止させる同期検出部６を備えている。
【００１０】
又フィンガ部４の各フィンガの復調データをＭＲＣ部５によりレイク合成した復調データを入力して、チャネルとしての同期検出を行う共通同期検出部を備え、フィンガ部４の各フィンガの復調データを入力する同期検出部６は、共通同期検出部の同期検出結果に対応してセクタ対応の同期検出を行うパラメータを切替える構成を有し、サーチャ部３は、同期検出部６の同期検出結果に対応してサーチ間隔とパス平均化回数との何れか一方又は両方を切替える構成を有するものである。又フィンガ部４の各フィンガの復調データをレイク合成した復調データを入力して、信号波対干渉波電力比を測定するＳＩＲ測定部を備え、同期検出部６は、ＳＩＲ測定部の測定結果に対応して同期検出パラメータを切替える構成とすることもできる。
【００１１】
又本発明のパス検出制御方法は、複数セクタ対応の受信信号の中の所定数のセクタ対応の受信信号を入力して拡散コードとの相関値を求め、該相関値に従ったパスタイミングの中の最大パスタイミングのパスに追従制御するパス検出制御方法であって、サーチャ部によるセクタ対応の最大パスタイミングに相当するフィンガ部の復調データを入力してセクタ対応に同期検出し、同期状態の時に前記サーチャ部に於けるパス追従制御を行わせ、非同期状態の時に前記サーチャ部に於けるパス追従制御を中止させる過程を含むものである。又フィンガ部の復調データを最大比合成した復調データを基に、同期検出又は信号波対干渉波電力比測定を行い、同期検出結果又は信号波対干渉波電力比測定結果に対応して、サーチャ部によるセクタ対応の最大パスタイミングに相当するフィンガ部の復調データを入力してセクタ対応に同期検出する同期検出パラメータを切替える過程を含むことができる。
【００１２】
【発明の実施の形態】
図１は本発明の第１の実施の形態の説明図であり、１，２はセレクタ、３はサーチャ部、４はフィンガ部、５はＭＲＣ部、６は同期検出部、１０はＩＦ（中間周波）部を示す。又セクタ数Ｎ＝６、サーチャ部３に於いてパス検出する最大セクタ数Ｍ＝４、フィンガ部４のフィンガ数Ｌ＝８とした場合を示す。又点線で示すＩＦ部１０は、図示を省略した高周波部によるセクタ１〜６対応の受信信号を直交復調した信号を入力し、ディジタル信号に変換した中間周波のＩ，Ｑ信号をセレクタ１，２に入力する。
【００１３】
セレクタ１は、図示を省略した制御部からの選択設定信号により制御されて、６個のセクタの中の最大４個のセクタ対応のＩ，Ｑ信号を選択してサーチャ部３に入力し、セレクタ２は、サーチャ部３からの選択セクタの通知に従った単一又は複数のセクタ対応のＩ，Ｑ信号をフィンガ部４に入力する。フィンガ部４は、８フィンガ構成の場合を示し、サーチャ部３からのパスタイミングに従って拡散コードの発生、逆拡散処理、同期検波処理を行い、各フィンガからの復調データをＭＲＣ部５に入力する。ＭＲＣ部５は、従来例と同様に、フィンガ対応の復調データの最大比合成によるレイク合成を行い、図示を省略した後段の処理回路に転送する。この場合、ＭＲＣ部５からの復調データのパイロットシンボルに同期して、後段の処理回路は復調データを処理する必要があるから、図示を省略した共通同期検出部を設けるものである。
【００１４】
サーチャ部３は、セレクタ１により選択された最大４個のセクタ対応のＩ，Ｑ信号の相関値をマッチドフィルタ（ＭＦ）により求め、相関値のピークを含む遅延プロファイルをプロファイルメモリに格納し、その中の相関値の大きい８個のパスを選択し、この８個のパスを含むセクタを示す選択信号をセレクタ２に通知し、且つ８個のパスのパスタイミングをフィンガ部４の８個のフィンガに通知する。又セレクタ２により選択されたセクタ対応の最大パスタイミングを割当てたフィンガ部４のフィンガ番号を同期検出部６に通知する。
【００１５】
同期検出部６は、サーチャ部３から通知されたフィンガ番号に対応するフィンガからの復調データのパイロットシンボルを用いて同期検出を行う。即ち、セレクタ２により選択されたセクタ対応の信号を復調処理するフィンガの復調データのパイロットシンボルを用いて同期検出を行うもので、セレクタ２により選択されたセクタについて同期検出を行うことになる。この同期検出結果をサーチャ部３に通知する。又同期検出のパラメータ（トレランス，前方保護段数，後方保護段数）は、セクタ単位で設定することができる。例えば、従来例のチャネル単位の同期検出のパラメータが、トレランス＝８、前方保護段数＝２、後方保護段数＝１０とすると、セクタ単位の同期検出パラメータを、同期外れの判定が行われ難く、同期確立判定が容易となるように、例えば、トレランス＝４、前方保護段数＝４、後方保護段数＝５とすることができる。
【００１６】
又サーチャ部３は、同期検出部６からの同期検出結果に対応して、同期時はパス追従制御を行い、非同期時はパス追従制御を中止するものである。そして、相関値を求めるサーチ間隔又は平均化回数を、パス追従制御時とパス非追従制御時とに於いて切替えるものである。即ち、パス追従制御時は、サーチ間隔を短くする。又は平均化回数を多くする。反対に、パス非追従制御時は、サーチ間隔を長くして、サーチウインドウを等価的に広くする。又は平均化回数を少なくして、プロファイルメモリの更新周期を短くし、パス検出の高速化を図る。
【００１７】
図２は本発明のサーチャ部の一実施の形態の要部説明図であり、図１のサーチャ部３の１セクタ分に対応した要部構成を示し、１１はＭＦ相関値検出部、１２はコード発生部、１３は平均化処理部、１４はサーチ制御部、１５はメモリ制御部、１６はプロファイルメモリを示す。
【００１８】
ＭＦ相関値検出部１１は、マッチドフィルタ（ＭＦ）構成を有し、或るセクタ対応の中間周波（ＩＦ）信号とコード発生部１２からの拡散コードとの相関値を求める。この相関値を平均化部１３により例えば複数フレームについて平均化し、メモリ制御部１５の制御によってプロファイルメモリ１６に格納する。このプロファイルメモリ１６に格納されたデータを基に、図示を省略したパス選択手段に於いてパス選択を行うことになる。
【００１９】
又サーチ制御部１４は、ＭＦ相関値検出部１１とコード発生部１２とメモリ制御部１５とを制御して、窓又は間隔、即ち、サーチウインドウ又はサーチ間隔を切替える。又サーチ制御部１４とメモリ制御部１５とに加える追従ＯＮ／ＯＦＦ信号は、同期検出部６（図１参照）からの同期検出結果の信号であり、同期時は追従ＯＮ、非同期時は追従ＯＦＦとする。
【００２０】
追従ＯＦＦの場合、パス検出は広範囲について行うことが必要である。そこで、サーチウインドウを大きくすることが考えられる。その場合、サーチ間隔を同一とすると、プロファイルメモリ１６の容量を大きくする必要が生じる。そこで、追従ＯＦＦ時に、サーチ間隔を追従ＯＮ時のＸ倍とすると、パス検出のタイミング精度は劣化するが、プロファイルメモリ１６の容量を同一としても、検出範囲（サーチウインドウ）はＸ倍となる。例えば、Ｘ＝２として、サーチ間隔を２倍とすると、プロファイルメモリ１６の容量を増加することなく、検出範囲を２倍とすることができる。即ち、追従ＯＮ／ＯＦＦ信号に従ってサーチ制御部１４は、サーチ間隔を切替えることにより、非同期状態からの同期検出の高速化を図ることができる。
【００２１】
図３は本発明のサーチャ部の他の実施の形態の要部説明図であり、図２と同様に、図１のサーチャ部３の１セクタ分に相当する要部構成を示し、２１はＭＦ相関値検出部、２２はコード発生部、２３は平均化処理部、２４はサーチ制御部、２５はメモリ制御部、２６はプロファイルメモリを示す。
【００２２】
この実施の形態のサーチャ部は、追従ＯＮ／ＯＦＦ信号を平均化部２３とメモリ制御部２５とに加えて、平均化回数の切替制御と、プロファイルメモリ２６への格納処理制御とを行う場合を示し、追従ＯＮ時は、平均化部２３に於ける平均化回数を多くして、パス検出精度を高くし、追従ＯＦＦ時は、高速でパス検出を行う為に、平均化回数を少なくし、プロファイルメモリ２６の更新周期を短くする。この場合もプロファイルメモリ２６の容量は同一の容量としてパス検出を行うことができる。なお、点線で示すように、サーチ制御部２４にも追従ＯＮ／ＯＦＦ信号を入力して、追従ＯＮ時にはパス追従制御を行い、追従ＯＦＦ時にはパス追従制御を行わないように制御するものである。
【００２３】
図４は本発明のサーチャ部の更に他の実施の形態の要部説明図であり、図２及び図３と同様に、図１のサーチャ部３の１セクタ分に相当する要部構成を示し、３１はＭＦ相関値検出部、３２はコード発生部、３３は平均化処理部、３４はサーチ制御部、３５はメモリ制御部、３６はプロファイルメモリを示す。
【００２４】
この実施の形態のサーチャ部は、追従ＯＮ／ＯＦＦ信号を平均化部３３とメモリ制御部３５とサーチ制御部３４とに加えて、平均化回数の切替制御と、サーチ間隔の切替制御とを行う場合を示し、追従ＯＮ時は、サーチ制御部３４のサーチ間隔を短くし、且つ平均化処理部３３の平均化回数を多くして、パス追従制御を行い、追従ＯＦＦ時は、サーチ制御部３４のサーチ間隔を長くし、且つ平均化処理部３３の平均化回数を少なくして、パス追従制御を行わないように制御する。それにより、パス追従制御の精度を高くし、又追従ＯＦＦ時からの同期引込みに必要な時間を、プロファイルメモリ３６の容量を増大することなく、短縮可能とすることができる。
【００２５】
図５はサーチ間隔及び平均化回数の説明図であり、（ａ）は追従時のサーチ間隔、（ｂ）は非追従時のサーチ間隔を示し、（ａ）の追従時、即ち、同期状態で追従ＯＮ時には、サーチ間隔を例えばｔとし、サンプルデータ１，２，３，４，５をプロファイルメモリの番地１，２，３，４，５に格納する場合を示す。その時のサーチウインドウを例えばｗとする。そして、５個のサンプル中の最大パスタイミングの変化に対応して、サーチウインドウｗの大きさはそのままで、パス追従制御を行うものである。
【００２６】
又（ｂ）の非追従時、即ち、非同期状態で追従ＯＦＦの時には、サーチ間隔を例えば２ｔとし、サンプルデータ１，２，３，４，５をプロファイルメモリの番地１，２，３，４，５に格納する。プロファイルメモリの容量は、追従時と同一として、サーチウインドウを２ｗとすることになり、広い範囲をサーチすることが可能となる。その場合のタイミング精度は１／２となるが、サーチ範囲を広くすることにより、同期引込みが容易となる。又追従時のサーチ間隔ｔに対して、非追従時のサーチ間隔を４倍とすると、サーチウインドウは４倍となり、プロファイルメモリの容量を増加することなく、更に、サーチ範囲を広くして、パス検出が容易となる。
【００２７】
又（ｃ）は追従時の平均化回数、（ｄ）は非追従時の平均化回数を示し、例えば、（ｃ）の追従時に、無線フレームについて、４フレームの平均化を行う場合、プロファイルメモリに対する更新タイミングは、パス平均１，２，３に対応して示す更新１，２，３となる。この追従時に対して、（ｄ）の非追従時は、無線フレームについて２フレームの平均化を行うように切替えると、プロファイルメモリに対する更新タイミングは、パス平均１，２，３，４，５，６に対応して示す更新１，２，３，４，５，６となる。即ち、パス追従制御の場合のパス平均化回数より、パス非追従制御の場合のパス平均化回数を少なくし、この場合は２倍の速さでプロファイルメモリの更新を行うことにより、非同期状態からの同期引込みを高速化することができる。従って、非追従時の平均化回数を、追従時の平均化回数の１／ｎにすれば、追従時に比較して非追従時はｎ倍の速度で同期引込みが可能となる。
【００２８】
図６は本発明の第２の実施の形態の説明図であり、４０はＩＦ部、４１，４２はセレクタ、４３はサーチャ部、４４はフィンガ部、４５はＭＲＣ部、４６は同期検出部、４７はＳＩＲ（信号波対干渉波電力比）測定部を示す。
【００２９】
この実施の形態は、図１と同様に、６個のセクタ対応の受信信号によるＩＦ信号をＩＦ部４０から出力し、セレクタ４１は、選択設定信号により最大４個のセクタ対応のＩＦ信号をサーチャ部４３に入力し、セレクタ４２は、サーチャ部４３からのセクタ選択信号に従ったセクタ対応のＩＦ信号をフィンガ部４４に入力し、フィンガ部４４は８個のフィンガを有し、サーチャ部４３からフィンガ対応のパスタイミング信号をフィンガ部４４に入力し、各フィンガの復調データをＭＲＣ部４５に於いて最大比合成によるレイク合成を行う。
【００３０】
又同期検出部４６は、サーチャ部４３からのセクタ対応の最大パスタイミングのフィンガ番号に従ったフィンガの復調データのパイロットシンボルを基に、それぞれのセクタに対応した同期検出を行い、その結果をサーチャ部４３に通知する。又ＳＩＲ測定部４７は、ＭＲＣ部４５によるレイク合成後の復調データのレベル情報等を基にＳＩＲ測定を行い、予め設定した閾値を超えているか否かを判定し、同期検出部４６に於けるトレランスや保護段数の切替えを行い、ＳＩＲ劣化時に於いても追従制御を可能とすることができる。又サーチャ部４３は、図２〜図４に示すセクタ対応の構成とすることができる。
【００３１】
図７は本発明の第３の実施の形態の説明図であり、５０はＩＦ部、５１，５２はセレクタ、５３はサーチャ部、５４はフィンガ部、５５はＭＲＣ部、５６は同期検出部、５７は共通同期検出部を示す。同期検出部５６と共通同期検出部５７以外は、図１及び図６とほぼ同一の構成を有するものであり、重複した説明は省略する。
【００３２】
共通同期検出部５７は、ＭＲＣ部５５からのレイク合成された復調データを基に同期検出を行い、検出結果を同期検出部５６に加える。又同期検出による同期信号を、ＭＲＣ部５５からの復調データを処理する後段の処理回路（図示を省略）に加えるものである。又同期検出部５６は、セクタ対応の最大パスタイミングのフィンガからの復調データを基にセクタ対応の同期検出を行うものであり、共通同期検出部５７からの同期検出結果に対応して、同期検出部５６の同期検出のパラメータ（トレランス，前方保護段数，後方保護段数）を切替え、セクタ対応の同期検出結果をサーチャ部５３に加える。サーチャ部５３は、図２〜図４に示すセクタ対応の構成とすることができる。
【００３３】
図８は本発明の第４の実施の形態の説明図であり、６０はＩＦ部、６１，６２はセレクタ、６３はサーチャ部、６４はフィンガ部、６５はＭＲＣ部、６６は同期検出部、６７は共通同期検出部を示す。サーチャ部６３と共通同期検出部５７以外は、図１及び図６とほぼ同一の構成を有するものであり、重複した説明は省略する。又共通同期検出部６７は、図７の共通同期検出部５７に対応するものであるが、検出結果をサーチャ部６３に入力している。
【００３４】
共通同期検出部６７は、ＭＲＣ部６５からのレイク合成された復調データを基に同期検出を行い、検出結果をサーチャ部６３に入力し、同期検出部６６は、図１の同期検出部６と同様に、セクタ対応の同期検出結果をサーチャ部６３に入力する。サーチャ部６３は、同期検出部６６によるセクタの同期，非同期と、共通同期検出部６７によるチャネルの同期，非同期との検出結果に対応して、サーチ間隔や平均化回数等の切替えを行い、且つパス追従制御の切替えを行うものである。
【００３５】
図９はパラメータの説明図であり、（Ａ）はパス検出パラメータを示し、ＩＦ信号は拡散率の８倍でオーバーサンプリングされた信号と仮定し、サーチ間隔をチップ単位で指定する場合を示す。又１チップは拡散周期であり、８倍のオーバーサンプリングは、１／８チップ間隔でサンプリングしていることになる。
【００３６】
そして、同期検出結果が同期状態で、パス追従制御を行う場合、サーチ間隔を１／８チップ、パス平均化フレーム数を８フレームとし、同期検出結果が非同期状態で、パス非追従制御の場合、サーチ間隔を１／２チップ、パス平均化フレーム数を１フレームとする。それにより、図５の（ａ），（ｂ）について説明したように、プロファイルメモリの容量を同一として、パス非追従制御時は、パス追従制御時の４倍のサーチ間隔とし、且つ１／８のパス更新周期とすることにより、サーチ範囲（サーチウインドウ）を広くして高速でパス検出を可能とすることができる。
【００３７】
即ち、図２及び図４のサーチ制御部１４，３４に於いて、追従ＯＮ／ＯＦＦ信号によって、前述のようにサーチ間隔を切替え、又図２及び図４の平均化処理部２３，３３に於いて、追従ＯＮ／ＯＦＦ信号によって、平均化回数を切替えることになり、追従ＯＦＦ時のサーチ範囲を広くし、且つ高速同期引込みを可能とすることができる。
【００３８】
又図９の（Ｂ）は同期検出パラメータを示し、図６のＳＩＲ測定部４７を設けた場合の同期検出部４６の同期検出パラメータを示す。又セクタ数を６、サーチャ部４３のパス検出の最大セクタ数を４、フィンガ部４４のフィンガ数を８とした場合であり、又保護段数として無線フレーム数、トレランスとして誤り許容ビット数として示す。
【００３９】
測定したＳＩＲが良好の時と良好でない時（非良好時）とチャネル同期との関連に於いて、ＳＩＲ良好時は、同期状態から非同期状態になったことを判定する為の前方保護を６フレーム、非同期状態から同期状態になったことを判定する為の後方保護を２フレーム、トレランス（許容誤りビット数）を６ビットとして、ＳＩＲ非良好時は、前方保護を８フレーム、後方保護を１フレーム、トレランスを８ビットとし、チャネル同期については、前方保護を４フレーム、後方保護を４フレーム、トレランスを１０ビットとするパラメータ変更を行うものである。それにより、ＳＩＲ良好時は、非良好時に比較して、同期状態から非同期状態になりやすく、又非同期状態から同期状態になりにくいパラメータとする。即ち、ＳＩＲ良好時は、パスの検出状態とチャネルの同期状態とは近似した傾向を示すので、的確なパス追従制御が可能となる。
【００４０】
又図９の（Ｃ）は、パス平均化回数とサーチ間隔とウインドウ位置とのパラメータを示し、図７又は図８に於いて、同期検出部５６，６６によるセクタ同期と、共通同期検出部５７，６７によるチャネル同期とについて、セクタ同期且つチャネル同期の場合を▲１▼通常追従状態、セクタ同期でチャネル非同期の場合を▲２▼高速追従動作、セクタ非同期でチャネル同期の場合を▲３▼通常非追従動作、セクタ非同期でチャネル非同期の場合を▲４▼初期引込み状態とする。
【００４１】
即ち、▲１▼通常追従動作の時、パス平均化回数を８フレーム、サーチ間隔を１／８チップ、ウインドウ位置を追従とし、▲２▼高速追従状態の時、パス平均化回数を４フレーム、サーチ間隔を１／８チップ、ウインドウ位置を追従とする。即ち、通常追従動作に比較して、チャネル非同期で高速追従動作の場合は、パス平均化回数を、通常追従動作の場合の１／２として、プロファイルメモリの更新間隔を短くし、パス追従制御を高速化する。
【００４２】
又▲３▼通常非追従動作の時は、サーチ間隔を１／４チップとして、高速追従動作時によりサーチウインドウを広くし、且つウインドウ位置は非同期となった時点で固定する。又▲４▼初期引込み状態は、▲３▼通常非追従動作時から同期引込みを行う場合であり、通常非追従動作時のパラメータと同一とする。従って、広いサーチウインドウで且つ高速でプロファイルメモリの更新を行うことにより、高速でパス検出が可能となる。
【００４３】
（付記１）サーチャ部とフィンガ部とを含み、複数セクタ対応の受信信号の中の所定数のセクタ対応の受信信号を前記サーチャ部に入力して拡散コードとの相関値を求め、該相関値に従ったパスタイミングの中の最大パスタイミングのパスに追従制御して、前記フィンガ部に於ける逆拡散復調処理を行うＣＤＭＡ受信装置に於いて、前記サーチャ部によるセクタ対応の最大パスタイミングに相当する前記フィンガ部の復調データを入力して同期検出し、同期状態の時に前記サーチャ部に於けるパス追従制御を行わせ、非同期状態の時に前記サーチャ部に於けるパス追従制御を中止させる同期検出部を備えたことを特徴とするＣＤＭＡ受信装置。
（付記２）前記フィンガ部の各フィンガの復調データをレイク合成した復調データを入力して、チャネルとしての同期検出を行う共通同期検出部を備え、前記フィンガ部の各フィンガの復調データを入力する前記同期検出部は、前記共通同期検出部の同期検出結果に対応してセクタ対応の同期検出を行うパラメータを切替える構成を有し、前記サーチャ部は、前記同期検出部の同期検出結果に対応してサーチ間隔とパス平均化回数との何れか一方又は両方を切替える構成を有することを特徴とする付記１記載のＣＤＭＡ受信装置。
（付記３）前記フィンガ部の各フィンガの復調データをレイク合成した復調データを入力して、信号波対干渉波電力比を測定するＳＩＲ測定部を備え、前記同期検出部は、前記ＳＩＲ測定部の測定結果に対応して同期検出パラメータを切替える構成を有し、前記サーチャ部は、前記同期検出部の同期検出結果に対応してサーチ間隔とパス平均化回数との何れか一方又は両方を切替える構成を有することを特徴とする付記１記載のＣＤＭＡ受信装置。
【００４４】
（付記４）前記同期検出部は、前記ＳＩＲ測定部の測定結果に対応して、信号波対干渉波電力比が良好の場合に比較して良好でない時の前方保護段数を多くし、後方保護段数を少なくし、且つトレランスとしての誤り許容ビット数を多くする同期検出パラメータの切替えを行う構成を有することを特徴とする付記３記載のＣＤＭＡ受信装置。
（付記５）前記サーチャ部は、ＭＦ相関値検出部とコード発生部と平均化処理部とサーチ制御部とメモリ制御部とプロファイルメモリとを含み、前記サーチ制御部は、前記同期検出部によるセクタ対応の同期検出結果により、同期状態ではパス追従制御、非同期状態ではパス非追従制御に切替え、且つパス追従制御時のサーチ間隔よりパス非追従時のサーチ間隔を短くするように切替える構成を有することを特徴とする付記１〜４記載のＣＤＭＡ受信装置。
（付記６）前記サーチャ部は、ＭＦ相関値検出部とコード発生部と平均化処理部とサーチ制御部とメモリ制御部とプロファイルメモリとを含み、前記サーチ制御部は、前記同期検出部によるセクタ対応の同期検出結果により、同期状態ではパス追従制御、非同期状態ではパス非追従制御に切替える構成を有し、前記平均化処理部は、前記パス追従制御時の平均化回数より前記パス非追従制御時のパス平均化回数を少なくするように切替える構成を有することを特徴とする付記１〜５記載のＣＤＭＡ受信装置。
【００４５】
（付記７）複数セクタ対応の受信信号の中の所定数のセクタ対応の受信信号を入力して拡散コードとの相関値を求め、該相関値に従ったパスタイミングの中の最大パスタイミングのパスに追従制御するパス検出制御方法に於いて、サーチャ部によるセクタ対応の最大パスタイミングに相当するフィンガ部の復調データを入力してセクタ対応に同期検出し、同期状態の時に前記サーチャ部に於けるパス追従制御を行わせ、非同期状態の時に前記サーチャ部に於けるパス追従制御を中止させる過程を含むことを特徴とするパス検出制御方法。
（付記８）セクタ対応の同期検出結果により、同期状態の時は、サーチャ部に於けるサーチ間隔を短くしてパス追従制御を行わせ、非同期状態の時は、サーチャ部に於けるサーチ間隔を長くしてパス追従制御を中止させる過程を含むことを特徴とする付記７記載のパス検出制御方法。
（付記９）セクタ対応の同期検出結果により、同期状態の時は、サーチャ部に於ける平均化回数を多くしてパス追従制御を行わせ、非同期状態の時は、サーチャ部に於ける平均化回数を少なくしてパス追従制御を中止させる過程を含むことを特徴とする付記７記載のパス検出制御方法。
（付記１０）フィンガ部の復調データを最大比合成した復調データを基に、同期検出を行う共通同期検出部と、前記フィンガ部の各フィンガの復調データを入力してセクタ対応の同期検出を行う同期検出部との同期検出結果に対応して、前記サーチャ部に於けるパス平均化回数及びサーチ間隔を切替え、且つ前記同期検出部による同期判定時にパス追従制御を行い、非同期判定時にパス追従制御を中止する過程を含むことを特徴とする付記７記載のパス検出制御方法。
（付記１１）フィンガ部の復調データを最大比合成した復調データを基に、信号波対干渉波電力比測定を行い、該信号波対干渉波電力比が良好の場合に対して、良好でない場合の同期検出部に於ける前方保護段数を多く、後方保護段数を少なくし、且つ誤り許容ビット数を多くした同期検出パラメータに切替える過程を含むことを特徴とする付記７記載のパス検出制御方法。
【００４６】
【発明の効果】
以上説明したように、本発明は、サーチャ部３とフィンガ部４とを含み、複数セクタ対応の受信信号を処理するＣＤＭＡ受信装置及びパス検出制御方法であって、セレクタ１により選択されたセクタ対応のＩＦ信号を基に、サーチャ部３はパスサーチを行い、フィンガ部４のフィンガにパスタイミングを加え、且つセクタを選択してセレクタ２を制御し、このセレクタ２により選択されたセクタ対応のＩＦ信号をフィンガ部４に入力して、逆拡散復調処理及び同期検波処理を行って復調データを出力し、同期検出部６は、このフィンガ対応の復調データを用いてセクタ対応の同期検出を行い、その同期検出結果に応じてサーチャ部３に於けるパス追従制御のオン，オフを行わせるもので、セクタ単位の同期検出結果に応じて各セクタのパス検出，追従制御を行うものである。従って、複数セクタ受信時に於いても的確なパス追従制御が可能となる。
【００４７】
又サーチャ部３は、同期検出部６によるセクタ対応の同期検出結果に応じて、サーチ間隔とパス平均化回数との何れか一方又は両方を制御し、同期状態に於いては、サーチ間隔を短くし、又はパス平均化回数を多くして、パス追従制御を的確に行わせ、非同期状態に於いては、サーチ間隔を長くして、サーチウインドウを広くし、又はパス平均化回数を少なくしてプロファイルメモリの更新周期を短くし、パス非追従制御時に於けるパス検出の高速化を図ることができる。
【図面の簡単な説明】
【図１】本発明の第１の実施の形態の説明図である。
【図２】本発明のサーチャ部の一実施の形態の要部説明図である。
【図３】本発明のサーチャ部の他の実施の形態の要部説明図である。
【図４】本発明のサーチャ部の更に他の実施の形態の要部説明図である。
【図５】サーチ間隔及び平均化回数の説明図である。
【図６】本発明の第２の実施の形態の説明図である。
【図７】本発明の第３の実施の形態の説明図である。
【図８】本発明の第４の実施の形態の説明図である。
【図９】パラメータの説明図である。
【図１０】従来例の説明図である。
【符号の説明】
１，２  セレクタ
３  サーチャ部
４  フィンガ部
５  ＭＲＣ部
６  同期検出部
１０  ＩＦ部
【図１】
0004267805.tif 000002
【図２】
0004267805.tif 000003
【図３】
0004267805.tif 000004
【図４】
0004267805.tif 000005
【図５】
0004267805.tif 000006
【図６】
0004267805.tif 000007
【図７】
0004267805.tif 000008
【図８】
0004267805.tif 000009
【図９】
0004267805.tif 000010
【図１０】
0004267805.tif 000011